(57)【要約】【課題】データを送信する電子機器によって送信周波数が異なる場合であっても、光信号による通信において正常にデータを受信することができる。【解決手段】電子機器１０は、光信号を送信する光源１０３を用いて、データの送信周波数を測定するための送信周波数測定用信号を送信し、データを送信する。電子時計２０は、光信号を受信する太陽電池２０１が受信した送信周波数測定用信号に基づいてデータの送信周波数を特定し、当該特定した送信周波数に基づいてデータを太陽電池２０１により受信する。【選択図】図１
2016063364.tif 000002
【特許請求の範囲】
【請求項１】
第１の電子機器と第２の電子機器とを備える通信システムであって、
前記第１の電子機器は、
光信号を送信する送信部と、
データの送信周波数を測定するための送信周波数測定用信号を前記送信部から送信し、前記送信部から前記データを送信する制御部と、
を備え、
前記第２の電子機器は、
光信号を受信する受信部と、
前記受信部が受信する前記送信周波数測定用信号に基づいて前記データの送信周波数を特定し、当該特定した送信周波数に基づいて前記受信部により前記データを受信する制御部と、
を備えることを特徴とする通信システム。
【請求項２】
前記送信周波数測定用信号は、前記データと同一の周期の信号である
ことを特徴とする請求項１に記載の通信システム。
【請求項３】
前記第１の電子機器の前記制御部は、前記送信周波数測定信号を送信する前に、通信を開始することを通知する通信開始信号を前記送信部から送信する
ことを特徴とする請求項１または請求項２に記載の通信システム。
【請求項４】
前記送信周波数測定用信号は、１ビットごとに０と１とを繰り返す２ビット以上の信号であり、
前記制御部は、２ビットの信号を単位として前記送信周波数を特定する
ことを特徴とする請求項１から請求項３のいずれか１項に記載の通信システム。
【請求項５】
光信号を送信する送信部と、
データの送信周波数を測定するための送信周波数測定用信号を前記送信部から送信し、前記送信部から前記データを送信する制御部と、
を備えることを特徴とする電子機器。
【請求項６】
光信号を受信する受信部と、
前記受信部が受信した送信周波数を測定するための送信周波数測定用信号に基づいて他の電子機器から送信されるデータの送信周波数を特定し、当該特定した送信周波数に基づいて前記受信部により前記データを受信する制御部と、
を備えることを特徴とする電子機器。
【請求項７】
第１の電子機器と第２の電子機器とを備える通信システムにおける通信方法であって、
前記第１の電子機器が、光信号を送信する送信部を用いて、データの送信周波数を測定するための送信周波数測定用信号を送信し、前記データを送信する送信制御ステップと、
前記第２の電子機器が、光信号を受信する受信部が受信した前記送信周波数測定用信号に基づいて前記データの送信周波数を特定し、当該特定した送信周波数に基づいて前記受信部により前記データを受信する受信制御ステップと、
を含むことを特徴とする通信方法。
【請求項８】
光信号を送信する送信部を用いて、データの送信周波数を測定するための送信周波数測定用信号を送信し、前記データを送信する送信制御ステップ
をコンピュータに実行させることを特徴とするプログラム。
【請求項９】
光信号を受信する受信部が受信した送信周波数を測定するための送信周波数測定用信号に基づいて他の電子機器から送信されるデータの送信周波数を特定し、当該特定した送信周波数に基づいて前記受信部により前記データを受信する受信制御ステップ
をコンピュータに実行させることを特徴とするプログラム。
【発明の詳細な説明】
【技術分野】
【０００１】
本発明は、通信システム、電子機器、通信方法及びプログラムに関する。
【背景技術】
【０００２】
電子機器のディスプレイの明るさ（色）を変化させることによりデータ送信を行い、そのデータをソーラパネルで受信するシステムがある（例えば、特許文献１参照）。このようなシステムでは、データの送信周波数は、データを送信する電子機器のリフレッシュレートに従う必要がある。一般的に、リフレッシュレートは約６０Ｈｚであるが、実際には、電子機器により若干異なる。例えば、スマートフォンのディスプレイのリフレッシュレートは５０Ｈｚ〜６０Ｈｚまでばらつきがある。さらに、端末の低消費化のため、リフレッシュレートを通常の６０Ｈｚから３０Ｈｚに下げている場合もある。
【先行技術文献】
【特許文献】
【０００３】
【特許文献１】特開２０１４−０４８１３６号公報
【発明の概要】
【発明が解決しようとする課題】
【０００４】
しかしながら、特許文献１に記載された技術では、データを送信する電子機器によって送信周波数が異なる場合、データを受信する機器ではどの周波数でデータを受信すればよいかが特定できず、データを正常に受信できないことがあるという問題がある。例えば、ある機種ではリフレッシュレートが５８Ｈｚであるため、この５８Ｈｚをベースにした送信周波数になり、またある機種ではリフレッシュレートが６０Ｈｚであるため、この６０Ｈｚをベースにした送信周波数になる。なお、クロック同期式であれば、この問題は解決できるが、光の明暗でデータ送信する場合にはクロックを作成することが困難である。
【０００５】
そこで、本発明は上述の事情を鑑みてなされたものであり、データを送信する電子機器によって送信周波数が異なる場合であっても、光信号による通信において正常にデータを受信することができる通信システム、電子機器、通信方法及びプログラムを提供することを目的とする。
【課題を解決するための手段】
【０００６】
本発明の幾つかの態様は、第１の電子機器と第２の電子機器とを備える通信システムであって、前記第１の電子機器は、光信号を送信する送信部と、データの送信周波数を測定するための送信周波数測定用信号を前記送信部から送信し、前記送信部から前記データを送信する制御部と、を備え、前記第２の電子機器は、光信号を受信する受信部と、前記受信部が受信する前記送信周波数測定用信号に基づいて前記データの送信周波数を特定し、当該特定した送信周波数に基づいて前記受信部により前記データを受信する制御部と、を備えることを特徴とする通信システムである。
【０００７】
また、本発明の他の態様の通信システムにおいて、前記送信周波数測定用信号は、前記データと同一の周期の信号であることを特徴とする。
【０００８】
また、本発明の他の態様の通信システムにおいて、前記第１の電子機器の前記制御部は、前記送信周波数測定信号を送信する前に、通信を開始することを通知する通信開始信号を前記送信部から送信することを特徴とする。
【０００９】
また、本発明の他の態様の通信システムにおいて、前記送信周波数測定用信号は、１ビットごとに０と１とを繰り返す２ビット以上の信号であり、前記制御部は、２ビットの信号を単位として前記送信周波数を特定することを特徴とする。
【００１０】
また、本発明の他の態様は、光信号を送信する送信部と、データの送信周波数を測定するための送信周波数測定用信号を前記送信部から送信し、前記送信部から前記データを送信する制御部と、を備えることを特徴とする電子機器である。
【００１１】
また、本発明の他の態様は、光信号を受信する受信部と、前記受信部が受信した送信周波数を測定するための送信周波数測定用信号に基づいて他の電子機器から送信されるデータの送信周波数を特定し、当該特定した送信周波数に基づいて前記受信部により前記データを受信する制御部と、を備えることを特徴とする電子機器である。
【００１２】
また、本発明の他の態様は、第１の電子機器と第２の電子機器とを備える通信システムにおける通信方法であって、前記第１の電子機器が、光信号を送信する送信部を用いて、データの送信周波数を測定するための送信周波数測定用信号を送信し、前記データを送信する送信制御ステップと、前記第２の電子機器が、光信号を受信する受信部が受信した前記送信周波数測定用信号に基づいて前記データの送信周波数を特定し、当該特定した送信周波数に基づいて前記受信部により前記データを受信する受信制御ステップと、を含むことを特徴とする通信方法である。
【００１３】
また、本発明の他の態様は、光信号を送信する送信部を用いて、データの送信周波数を測定するための送信周波数測定用信号を送信し、前記データを送信する送信制御ステップをコンピュータに実行させることを特徴とするプログラムである。
【００１４】
また、本発明の他の態様は、光信号を受信する受信部が受信した送信周波数を測定するための送信周波数測定用信号に基づいて他の電子機器から送信されるデータの送信周波数を特定し、当該特定した送信周波数に基づいて前記受信部により前記データを受信する受信制御ステップをコンピュータに実行させることを特徴とするプログラムである。
【発明の効果】
【００１５】
本発明によれば、第１の電子機器の制御部は、データの送信周波数を測定するための送信周波数測定用信号を送信部から送信し、送信部からデータを送信する。また、第２の電子機器の制御部は、光信号を受信する受信部が受信した送信周波数測定用信号に基づいてデータの送信周波数を特定し、当該特定した送信周波数に基づいて受信部によりデータを受信する。これにより、光信号による通信において、受信側である第２の電子機器で受信するデータの送信周波数を自動的に特定することができる。よって、第２の電子機器は正常にデータを受信することができる。
【図面の簡単な説明】
【００１６】
【図１】本発明の実施形態における通信システムの構成を示した概略図である。
【図２】本発明の実施形態による電子機器の一動作例を説明するためのタイミングチャートである。
【図３】本発明の実施形態による電子時計の一動作例を説明するための図である。
【図４】本発明の実施形態による電子機器が実行する通信処理の処理手順を示したフローチャートである。
【図５】本発明の実施形態による電子時計が実行する通信処理の処理手順を示したフローチャートである。
【発明を実施するための形態】
【００１７】
以下、本発明の一実施形態について、図面を参照しながら説明する。図１は、本実施形態における通信システム１の構成を示した概略図である。図示する例では、通信システム１は、電子機器１０（第１の電子機器）と電子時計２０（第２の電子機器）とを含んでいる。電子機器１０は、例えば、スマートフォンや、携帯電話機や、タブレット端末等の電子機器である。図示する例では、電子機器１０は、時刻データ取得部１０１と、制御部１０２と、光源１０３とを備えている。
【００１８】
時刻データ取得部１０１は、現在日時（現在時刻（時分秒）及び現在日付（年月日））を取得する。例えば、時刻データ取得部１０１は、インターネット上の時刻サーバにアクセスして現在日時を取得する方法や、ＧＰＳ（Ｇｌｏｂａｌ  Ｐｏｓｉｔｉｏｎｉｎｇ  Ｓｙｓｔｅｍ）を用いて現在日時を取得する方法や、基地局からの制御信号から現在日時を取得する方法を用いる。なお、現在日時の取得方法は、どのような方法でもよい。
【００１９】
制御部１０２は、電子機器１０が備える各部の制御を行う。また、制御部１０２は、時刻データ取得部１０１が取得した現在日時に基づいて、電子時計２０の時刻を補正するための時刻データを生成する。そして、制御部１０２は、生成した時刻データを送信データとして、光源１０３を用いて光信号として出力（送信）する。
【００２０】
制御部１０２は、光源１０３を用いて送信データを送信する際に、まず、通信開始信号を送信し、その後、送信周波数測定用信号を送信した後に、送信データを示す送信データ信号を送信する。通信開始信号は、光信号による通信を開始することを通知する信号である。送信周波数測定用信号は、送信データ信号の送信周波数を測定するための信号であり、１ビットごとに０と１とを繰り返す２ビット以上の信号である。
【００２１】
光源１０３は、例えば、液晶ディスプレイまたは有機ＥＬ（Ｅｌｅｃｔｒｏ−Ｌｕｍｉｎｅｓｃｅｎｃｅ）ディスプレイ等である。光源１０３は、光信号を電子時計２０に対して送信する送信部として動作する。
【００２２】
電子時計２０は、アナログ表示で時刻を表示する時計である。図示する例では、電子時計２０は、太陽電池２０１と、制御回路２０２と、スイッチ２０３と、二次電池２０４と、ダイオード２０５と、基準信号生成回路２０６とを備えている。
【００２３】
太陽電池２０１は、充電期間では、光（太陽、照明など）を受光して電気エネルギーに変換する発電部として動作する。また、太陽電池２０１は、通信期間では、電子機器１０と光通信を行い、電子機器１０か光信号を受信する受信部として動作する。充電期間および通信期間については後述する。
【００２４】
制御回路２０２は、電子時計２０が備える各部の制御を行う。また、制御回路２０２は、太陽電池２０１による二次電池２０４への充電制御を行う。また、制御回路２０２は、二次電池２０４の過充電防止制御を行う。また、制御回路２０２は、太陽電池２０１を用いて光通信を行う。例えば、制御回路２０２は、電源端子とＧＮＤ端子に接続された二次電池２０４が出力する電力により作動する。このとき、制御回路２０２は、二次電池２０４の出力電圧を検出することで、二次電池２０４の充電状態（フル充電、過放電など）を判定し、所定の充電制御を行う。例えば、制御回路２０２は、二次電池２０４の充電状態に応じて、制御端子から出力する制御信号によってスイッチ２０３のオン／オフ制御を行う。これにより、制御回路２０２は、太陽電池２０１と二次電池２０４とを接続することで二次電池２０４への充電を行う。また、制御回路２０２は、太陽電池２０１と二次電池２０４とを切断することで、二次電池２０４への過充電を防止する。
【００２５】
また、制御回路２０２は、基準信号生成回路２０６が出力する基準信号に基づいてスイッチ制御信号を出力し、スイッチ２０３のオン／オフ制御を行う。これにより、制御回路２０２は、太陽電池２０１と二次電池２０４の接続と、太陽電池２０１と二次電池２０４の切り離しとを行う。
【００２６】
また、制御回路２０２（制御部）は、通信期間において、入力端子に入力された太陽電池２０１の出力電圧を検出し、検出した電圧を電気信号に変換することで、外部機器(本実施形態では、電子機器１０）から光通信によって送信される送信データを受信する。また、制御回路２０２は、送信データの前に受信する送信周波数測定用信号に基づいて、送信データの送信周波数を特定し、当該特定した送信周波数に基づいて送信データを受信する。そして、制御回路２０２は、送信データである時刻データに基づいて指針が示す時刻を修正する。
【００２７】
スイッチ２０３は、制御回路２０２から入力されるスイッチ制御信号に基づいて、太陽電池２０１と二次電池２０４の接続と、太陽電池２０１と二次電池２０４の切り離しとを行う。二次電池２０４は、電子時計２０が備える各部に電力を供給する。ダイオード２０５は、二次電池２０４に対する電流の逆流を防止する。基準信号生成回路２０６は、発振回路（例えば３２ｋＨｚ）と分周回路からなり、例えば１Ｈｚの基準信号を生成する。
【００２８】
次に、電子機器１０と電子時計２０との間の通信方法について説明する。本実施形態では、電子機器１０は光源１０３を用いてデータを送信する。例えば、電子機器１０は、「１」を送信する際には光源１０３を明るくし、「０」を送信する際には光源１０３を暗くする。例えば、光源１０３が液晶ディスプレイまたは有機ＥＬディスプレイである場合には、「１」を送信する際には、光源１０３である液晶ディスプレイまたは有機ＥＬディスプレイを明色（例えば白色）にして明るくし、「０」を送信する際には、光源１０３である液晶ディスプレイまたは有機ＥＬディスプレイを暗色（例えば、黒色）にして暗くする。また、電子時計２０は、太陽電池２０１を用いてデータを受信する。例えば、電子時計２０の制御回路２０２は、太陽電池２０１が光を受光して電圧を発生した場合には「１」を受信したと判定し、太陽電池２０１が電圧を発生しない場合には「０」を受信したと判定する。
【００２９】
太陽電池２０１と二次電池２０４とが接続している場合、二次電池２０４の出力電圧により、太陽電池２０１が発生した電圧を正確に判定することができない。そこで、本実施形態では、データの受信時には、太陽電池２０１が発生する電圧をより精度良く検出するために、スイッチ２０３を制御し、太陽電池２０１と二次電池２０４とを切り離す。なお、太陽電池２０１と二次電池２０４とを切り離している期間を「通信期間」とする。
【００３０】
また、通信期間以外の期間では、スイッチ２０３を制御し、太陽電池２０１と二次電池２０４とを接続する。太陽電池２０１と二次電池２０４とを接続している期間を「充電期間」とする。これにより、通信期間においては、より精度良くデータを受信することができる。
【００３１】
また、通信期間では二次電池２０４を充電しないように設定することもできる。そのため、通信期間は短い方が望ましい。従って、本実施形態では、電子時計２０は、通常時には充電期間とし、一定期間毎に短い通信期間を設ける。そして、電子時計２０は、短い通信期間中に電子機器１０から通信開始信号を受信した場合、送信データ信号を受信するまで通信期間を継続する。一方、電子時計２０は、通信期間中に電子機器１０から送信開始信号を受信しない場合、充電期間とする。
【００３２】
図２は、電子機器１０が電子時計２０に対して送信する通信開始信号と、送信周波数測定用信号と、送信データ信号との送信タイミングを示したタイミングチャートである。本図には、送信データ「０ｘ２９，０ｘ１２」を送信する例を示している。
【００３３】
本図に示す通り、電子機器１０は、送信データを送信する際には、まず、光源１０３の暗色および明色を一定間隔で繰り返し、「０」と「１」とを繰り返す通信開始信号を送信する（時刻ｔ１〜時刻ｔ２）。その後、電子機器１０は、送信データの送信周期と同一の周期で光源１０３の暗色および明色を繰り返し、「０」と「１」とを所定回数繰り返す送信周波数測定用信号を送信する（時刻ｔ２〜時刻ｔ３）。なお、所定回数は予め決められた回数であり、電子時計２０側も所定回数を予め記憶している。これにより、電子時計２０は、送信周波数測定用信号の終了タイミングおよび送信データの開始タイミングを特定することができる。なお、所定回数は任意に設定できるようにしてもよい。
【００３４】
その後、電子機器１０は、光源１０３を暗色および明色にすることで送信データを送信する（時刻ｔ３〜時刻ｔ４）。なお、光源１０３は、例えば、液晶ディスプレイまたは有機ＥＬディスプレイ等であるため、送信データの送信周期は、光源１０３のリフレッシュレートに基づいた周期である。よって、電子機器１０が備える光源１０３の種類によって、送信データの送信周期は異なる。
【００３５】
図３は、電子時計２０における送信周波数の特定方法を説明するための図である。電子時計２０は、通信期間中に通信開始信号を受信すると、通信期間を継続して送信周波数測定用信号の受信を待機する状態となる。電子時計２０は、送信周波数測定用信号を受信すると、受信した送信周波数測定用信号に基づいて送信データ信号の送信周波数を特定する。上述したとおり、送信周波数測定用信号は、送信データと同一の周期の信号である。そのため、送信周波数測定用信号の送信周波数を特定することで、送信データ信号の送信周波数を特定することができる。
【００３６】
具体的には、電子時計２０は、送信周波数測定用信号のうち所定ビット（図示する例では４ビット）分の受信時間Ｔ（時刻ｔ１１〜時刻ｔ１２）を計測する（図３（Ａ））。そして、電子時計２０は、所定ビット数（図示する例では４ビット）を計測した受信時間Ｔで除算することにより、送信周波数（図示する例では４／Ｔ）を特定する。ここで、電子時計２０は、「０」と「１」との切り替わりの周期（「０」または「１」の幅）を計測することにより送信周波数を特定するが、暗色「０」から明色「１」に切り替わる反応速度と、明色「１」から暗色「０」に切り替わる反応速度が異なることが多い。そのため、暗色「０」から明色「１」のエッジと明色「１」から暗色「０」のエッジ間の時間を測定すると正しい時間が測定できないおそれがある。よって、暗色「０」から明色「１」となる２つ以上のエッジ間の時間、若しくは明色「１」から暗色「０」となる２つ以上のエッジ間の時間を測定することで送信周波数を特定することが望ましい。このため、送信周波数測定用信号は「０」と「１」との組を２つ（４ビット）以上含むことが望ましい。
【００３７】
続いて、電子時計２０は、特定した送信周波数（図示する例では４／Ｔ）を１ビットあたりのデータ取り込み周期として、送信データ信号を受信する（図３（Ｂ））。すなわち、電子時計２０は、送信周波数（図示する例では４／Ｔ）ごとに１ビットのデータが送信データ信号に格納されていると判定する。また、電子時計２０は、「ＳＴＡＲＴ  ｂｉｔ」と「ＳＴＯＰ  ｂｉｔ」とを検出することにより、送信データ信号から１バイト分のデータを抽出する。図示する例では、電子時計２０は、「００１０＿１００１」＝「０ｘ２９」＝「４１」と、「０００１＿００１０」＝「０ｘ１２」＝「１８」とを送信データ信号から抽出する。
【００３８】
次に、図４及び図５を参照して、通信システム１における通信方法について説明する。図４は、本実施形態における電子機器１０が実行する通信処理の処理手順を示したフローチャートである。電子機器１０は、送信データを送信する際に、本図に示す処理を実行する。
【００３９】
（ステップＳ１０１）制御部１０２は、光源１０３を制御し、一定期間、通信開始信号を送信する。その後、ステップＳ１０２の処理に進む。
（ステップＳ１０２）制御部１０２は、通信開始信号の送信を完了した後、光源１０３を制御し、送信データ信号と同一の送信周波数で、送信周波数測定用信号を送信する。その後、ステップＳ１０３の処理に進む。
（ステップＳ１０３）制御部１０２は、光源１０３を制御し、送信データ信号を送信する。その後、処理を終了する。
【００４０】
図５は、本実施形態による電子時計２０が実行する通信処理の処理手順を示したフローチャートである。電子時計２０は、本図に示す処理を通信期間中に実行する。
（ステップＳ２０１）制御回路２０２は、太陽電池２０１を介して通信開始信号を受信したか否かを判定する。通信開始信号を受信したと制御回路２０２が判定した場合にはステップＳ２０２の処理に進む。また、通信開始信号を受信していないと制御回路２０２が判定した場合にはステップＳ２０１の処理を再度実行する。
【００４１】
（ステップＳ２０２）制御回路２０２は、太陽電池２０１を介して送信周波数測定用信号を受信し、受信した周波数測定用信号における「０」と「１」との切り替わりの周期を測定する。その後、ステップＳ２０３の処理に進む。
【００４２】
（ステップＳ２０３）制御回路２０２は、測定した周期から送信データ信号の送信周波数を決定する。その後、ステップＳ２０４の処理に進む。
（ステップＳ２０４）制御回路２０２は、決定した送信周波数に基づいて、太陽電池２０１を介して送信データを受信する。その後、処理を終了する。
【００４３】
上述したとおり、本実施形態では、電子機器１０の制御部１０２は、送信データ信号を送信する際に、まず、通信開始信号を送信し、その後、周波数測定用信号を送信した後に、送信データ信号を送信する。また、電子時計２０の制御回路２０２は、通信開始信号を受信すると、通信期間を継続して送信周波数測定用信号の受信を待機する状態となる。そして、制御回路２０２は、送信周波数測定用信号を受信すると、受信した送信周波数測定用信号における「０」と「１」との周期を測定することにより送信周波数を特定する。そして、制御回路２０２は、特定した送信周波数に基づいて送信データを受信する。これにより、電子時計２０は、予め電子機器１０の送信周波数が設定されていない場合であっても、送信データの送信周波数を自動的に特定して送信データを正常に受信することができる。
【００４４】
なお、上述した実施形態における電子機器１０または電子時計２０が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００４５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４６】
以上、本発明の実施形態について説明したが、本発明は、上記実施形態に限定されるものではなく、本発明の趣旨を逸脱しない範囲において種々の変更を加えることが可能である。
【００４７】
例えば、上述した実施形態では、送信周波数測定用信号と送信データとを区別して説明したが、これに限らず、送信データの一部を送信周波数測定用信号として構成してもよい。この場合、例えば、送信データの初めのビット（ｂ０，ｂ１，ｂ２，ｂ３）を周波数測定用ビットとし、必ず１０１０となるように送信し、受信側は、このビット部分を削除しデータを受信するということもできる。
【００４８】
また、例えば、上述した実施形態では、電子時計２０は、充電期間と光通信を行う通信期間とを切り替えているが、これに限らず、充電期間と光通信を行う通信期間とを分けずに、充電と光通信とを同時に行うようにしてもよい。
【００４９】
また、上述した実施形態では、送信データとして時刻データを送信する例を用いて説明したが、これに限らず、時刻データ以外のデータを送信するようにしてもよい。送信データとして、例えば、アラーム時刻のデータや、タイマ設定値などを送信するようにしてもよい。
【００５０】
また、例えば、上述した実施形態では、電子時計２０は、充電期間と光通信を行う通信期間とを所定の周期で繰り返しているが、これに限らず、二次電池２０４の充電状態に応じて、スイッチ２０３を制御して充電期間と通信期間とを切り替えてもよい。
【００５１】
また、上述した実施形態では、電子時計２０は、太陽電池２０１により光信号を受信しているが、光信号を受信する受信部はこれに限らず、例えば、照度センサ等、明るさを検知できるものであればよい。
【００５２】
また、上述した実施形態では、送信周波数測定用信号を５ビットとしたが、これに限らず、「０」と「１」との組が少なくとも１つ（２ビット）以上あればよい。
【００５３】
また、上述した実施形態では、光信号において、明色と暗色（例えば、白色と黒色）により「１」と「０」とを示しているが、これに限らず、発光強度により「０」と「１」とを示してもよい。この場合、消灯と点灯とが望ましいが、弱く発光と強く発光など、発光強度が異なればよい。また、明色と暗色により「１」と「０」とを示す場合、明色は「白色」で暗色は「黒色」が望ましいが、他の色でもよい。
【００５４】
また、上述した実施形態では、電子機器１０は、通信の開始時に通信開始信号を送信しているが、これに限らず、通信開始信号を送信せずに送信周波数測定用信号を送信するようにしてもよい。この場合、電子時計２０は、送信周波数測定用信号を受信できるように、通信の開始前までに送信周波数測定用信号の受信を待機する状態とすることが望ましい。
【００５５】
また、上述した実施形態では、光源１０３の例として、液晶ディスプレイまたは有機ＥＬディスプレイ等を用いて説明したが、これに限らない。例えば、光源１０３は、発光ダイオードなど、光を発するものであればよい。
【符号の説明】
【００５６】
１  通信システム
１０  電子機器
２０  電子時計
１０１  時刻データ取得部
１０２  制御部
１０３  光源
２０１  太陽電池
２０２  制御回路
２０３  スイッチ
２０４  二次電池
２０５  ダイオード
２０６  基準信号生成回路
【図１】
2016063364.tif 000003
【図２】
2016063364.tif 000004
【図３】
2016063364.tif 000005
【図４】
2016063364.tif 000006
【図５】
2016063364.tif 000007